(57)【要約】      （修正有）【課題】様々なパーツに対応させることにより、異なる形状のヘルメットに適用できるようにする、ヘルメットの接続部品を提供する。【解決手段】ヘルメットの外縁とライナーの間に設けられ、パーツの設置に用いるヘルメットの接続部品であって、弓形ブレード１０と、弓形ブレードに設置される少なくとも一つの連結ユニット２０と、間隔を隔てて弓形ブレードの上部から上に延伸している複数の挿設ボード３０と、を備える。【選択図】図２
0003222870.tif 000002
【実用新案登録請求の範囲】
【請求項１】
ヘルメットの外縁とライナーの間に設けられ、パーツの設置に用いるヘルメットの接続部品であって、
弓形ブレードと、
前記弓形ブレードに設置される少なくとも一つの連結ユニットと、
間隔を隔てて前記弓形ブレードの上部から上に延伸している複数の挿設ボードと、を備えることを特徴とするヘルメットの接続部品。
【請求項２】
両側にそれぞれ内面と外面とを有する前記弓形ブレードであり、前記内面は前記外面に対応するように設けられ、前記連結ユニットは前記内面に設けられることを特徴とする請求項１に記載のヘルメットの接続部品。
【請求項３】
前記外面に少なくとも一つの位置決め孔が形成され、前記位置決め孔は前記内面における連結ユニットと対応していることを特徴とする請求項２に記載のヘルメットの接続部品。
【請求項４】
両側にそれぞれ内面と外面とを有する前記弓形ブレードであり、前記内面は前記外面に対応するように設けられ、前記連結ユニットは前記外面に設けられることを特徴とする請求項１に記載のヘルメットの接続部品。
【請求項５】
前記挿設ボードはそれぞれ、少なくとも一つの縦方向の抑制凸部を有することを特徴とする請求項１乃至４のいずれか１項に記載のヘルメットの接続部品。
【請求項６】
前記挿設ボードはそれぞれ、少なくとも一つの横方向の抑制凸部を有することを特徴とする請求項１乃至４のいずれか１項に記載のヘルメットの接続部品。
【請求項７】
前記挿設ボードはそれぞれ、少なくとも一つの横方向の抑制凸部を有することを特徴とする請求項５に記載のヘルメットの接続部品。
【請求項８】
前記複数の挿設ボードの形状は、底部から頂部まで減少していくように形成されていることを特徴とする請求項１乃至４のいずれか１項に記載のヘルメットの接続部品。
【請求項９】
前記複数の挿設ボードの形状は、底部から頂部まで減少していくように形成されていることを特徴とする請求項５に記載のヘルメットの接続部品。
【請求項１０】
前記複数の挿設ボードの形状は、底部から頂部まで減少していくように形成されていることを特徴とする請求項６に記載のヘルメットの接続部品。
【請求項１１】
前記複数の挿設ボードの形状は、底部から頂部まで減少していくように形成されていることを特徴とする請求項７に記載のヘルメットの接続部品。
【請求項１２】
前記弓形ブレードの内面にクッションが設けられることを特徴とする請求項２乃至４のいずれか１項に記載のヘルメットの接続部品。
【請求項１３】
前記弓形ブレードの内面にクッションが設けられることを特徴とする請求項６に記載のヘルメットの接続部品。
【請求項１４】
前記弓形ブレードの内面にクッションが設けられることを特徴とする請求項７に記載のヘルメットの接続部品。
【請求項１５】
前記弓形ブレードの内面にクッションが設けられることを特徴とする請求項９に記載のヘルメットの接続部品。
【請求項１６】
前記弓形ブレードの内面にクッションが設けられることを特徴とする請求項１０に記載のヘルメットの接続部品。
【請求項１７】
前記弓形ブレードの内面にクッションが設けられることを特徴とする請求項１１に記載のヘルメットの接続部品。
【考案の詳細な説明】
【技術分野】
【０００１】
本考案は、特にシールド等のパーツをヘルメットに設ける為に使用するヘルメットの接続部品に関するものである。
【背景技術】
【０００２】
バイク、自転車などを運転する際に、運転手は頭部にヘルメットを着用することによって、交通事故による頭部の損傷を軽減できる。そして通常、運転時の安全性を改善する為に、ヘルメットに様々なパーツが設けられており、そのパーツの機能によって、運転中の安全性を確保している。例えば、シールドをヘルメットの前側に設置することによって、強風や日差し、雨などから運転手の顔面をガードし、安全に運転できるよう、運転手の視線を確保している。
【０００３】
ヘルメットの前側に、少なくとも一つの連結部材を有するシールドが設けられ、該シールドは、該連結部材によりヘルメットに固定される。一般的なヘルメットは、前記連結部材と係合する為に、少なくとも一つの係合孔がヘルメットの前側に形成されており、該係合孔と連結部材の位置は相互に対応させる必要がある。
【０００４】
しかしながら、ヘルメットのサイズや形は、運転手の頭部にフィットする為にそれぞれ異なる外形であることから、パーツの連結部材は異なる外形を持つヘルメットの係合孔に対応するように設置することが難しい。その為、運転手は好きなようにヘルメットに様々なパーツを設けることができない。
【０００５】
また、ヘルメットのメーカーにおいて、ヘルメットを製造する際に予めパーツの連結部材に対応できるようにヘルメットの前側に該係合孔を形成する必要があるので、メーカーの加工作業が増加する。また、ヘルメットは前記係合孔の設置により、強度が下がると共に、運転手の頭部を保護する能力も低下する。
【先行技術文献】
【特許文献】
【０００６】
【特許文献１】中華民国第２０１７１１５８２号特許案
【考案の概要】
【考案が解決しようとする課題】
【０００７】
本考案は、以上のような従来の欠点に鑑み、パーツをヘルメットに設置する従来の方法は、運転手が好きなように様々なパーツを設けることができなく、そしてパーツは違うサイズや形のヘルメットに対応できないので、その欠点を改善することを目的としている。
【課題を解決するための手段】
【０００８】
上記の目的を達成するため、本考案はヘルメットの外縁とライナーの間に設けられ、パーツの設置に用いるヘルメットの接続部品であって、
弓形ブレードと、前記弓形ブレードに設置される少なくとも一つの連結ユニットと、間隔を隔てて前記弓形ブレードの上部から上に延伸している複数の挿設ボードと、を備えるヘルメットの接続部品を構成している。
【０００９】
また、本考案に係るヘルメットの接続部品は、両側にそれぞれ内面と外面とを有する前記弓形ブレードであり、前記内面は前記外面に対応するように設けられ、前記連結ユニットは前記内面に設けられることを特徴としてもよい。
【００１０】
この場合には、前記外面に少なくとも一つの位置決め孔が形成され、前記位置決め孔は前記内面における連結ユニットと対応していることを特徴としてもよい。
【００１１】
また、本考案に係るヘルメットの接続部品は、前記連結ユニットは前記外面に設けられることを特徴としてもよい。
【００１２】
また、本考案に係るヘルメットの接続部品は、前記挿設ボードはそれぞれ少なくとも一つの縦方向の抑制凸部を有することを特徴としてもよい。
【００１３】
また、本考案に係るヘルメットの接続部品は、前記挿設ボードはそれぞれ少なくとも一つの横方向の抑制凸部を有することを特徴としてもよい。
【００１４】
また、本考案に係るヘルメットの接続部品は、前記複数の挿設ボードのサイズは下から上まで減少するように形成されていることを特徴としてもよい。
【００１５】
また、本考案に係るヘルメットの接続部品は、前記内面にクッションが設けられることを特徴としてもよい。
【考案の効果】
【００１６】
本考案のヘルメットの接続部品によれば、前記弓形ブレードの複数の挿設ボードを、ヘルメットの外縁とライナーの間の隙間に密着させることにより前記弓形ブレードをヘルメットの外縁に固定させ、そして前記連結ユニットを利用してパーツに連結することで、様々なパーツを設置することができる。
【００１７】
また、前記弓形ブレードは、金属材質或はプラスチック、その他の弾力性を持つ材料を採用して、ヘルメットの外縁とライナーにおける隙間の曲度に対応できるように挿設ボードにより前記隙間に挿設するので、異なる形のヘルメットに対応できる。なお、前記弓形ブレードは、弾力性を持つ上で本考案のヘルメットの接続部品がヘルメットにおける前記隙間に設置する際の反発性により安定性を向上させることができる。
【００１８】
また、前記のように、パーツは、本考案によりヘルメットに設置するので、ヘルメットのメーカーにおいて、予めヘルメットの外縁に係合孔を穿設する必要がなくなることから、加工作業を省くことができ、且つ、ヘルメットの外縁に係合孔が形成されたことでヘルメットの構造強度が低下することもなくなり、更に運転手の安全を確保することができる。
【図面の簡単な説明】
【００１９】
【図１】本考案に係るヘルメットの接続部品の使用状態の側面図である。
【図２】本考案に係るヘルメットの接続部品の斜視図である。
【図３】本考案に係るヘルメットの接続部品を別の角度から見た状態を示す斜視図である。
【図４】図１に示すヘルメットの接続部品の分解図である。
【図５】図１に示すヘルメットの接続部品の部分断面図である。
【図６】本考案に係るヘルメットの接続部品の斜視図であり、クッションが弓型ブレードに組み立てられていることを示す。
【考案を実施するための形態】
【００２０】
以下、図面を参照しつつ、本考案のヘルメットの接続部品の実施の形態を、図面に基づいて説明する。
【００２１】
図１、図２に示すように、本実施例において、前記ヘルメットの接続部品は、ヘルメットの外縁４０とライナー５０との間に設けられて、パーツ６０の設置に用いられ、該ヘルメットの接続部品は、弓形ブレード１０、少なくとも一つの連結ユニット２０及び複数の挿設ボード３０を備える。
【００２２】
図２、図３に示すように、前記連結ユニット２０は前記弓形ブレード１０に設けられ、該弓形ブレード１０の対応する両側にそれぞれ内面１１と外面１２を有する。尚、前記連結ユニット２０は、前記弓形ブレード１０の内面１１或は外面１２に設置してもよい。
【００２３】
図４、図５に示すように、前記連結ユニット２０を内面１１に設置する場合は、磁性体によって前記パーツ６０と連結してもよい。更に、前記外面１２に少なくとも一つの位置決め孔１３が形成され、前記位置決め孔１３は該弓形ブレード１０の内面１１における連結ユニット２０と対応している。
【００２４】
また、前記連結ユニット２０を外面１２に設置する場合は、係合部材によって前記パーツ６０と連結してもよい。
【００２５】
前記複数の挿設ボード３０は間隔を隔てて前記弓形ブレード１０に設置して前記弓形ブレード１０の上に延伸する。なお、前記複数の挿設ボード３０はそれぞれ少なくとも一つの横方向の抑制凸部を設けてもよい、また前記複数の挿設ボードはそれぞれ少なくとも一つの縦方向の抑制凸部を設けてもよい。そして、前記複数の挿設ボード３０の形状は底部から頂部まで減少していく。
【００２６】
なお、図６に示すように、前記内面１１にクッション１４が設けられる。
【００２７】
図４、図５に示すように、本考案のヘルメットの接続部品を使用する時は、前記弓形ブレード１０の複数の挿設ボード３０をヘルメットの外縁４０とライナー５０の間の隙間に挿入することで、前記複数の挿設ボード３０をヘルメットの外縁４０とライナー５０に密着させ、前記弓形ブレード１０をヘルメットの外縁４０に固定する。そして、運転手は好きなようにシールドなどのパーツ６０を前記ヘルメットの接続部品に固定して、前記パーツ６０をヘルメットに設置させ、強風や日差し、雨などから運転手の顔面をガードすることができる。
【００２８】
また、本考案の実施例では、前記弓形ブレード１０は、金属材質或はプラスチック、その他の弾力性を持つ材料からなることができるので、前記ヘルメットの接続部品をヘルメットに設置する時は、前記弓形ブレード１０をヘルメットの外縁４０とライナー５０の間の隙間の曲度に対応するように前記挿設ボード３０を前記隙間に挿入できる。この為、該弓形ブレード１０の弾性を利用して本考案は異なるヘルメットにも対応することができる。
【００２９】
また、前記外面１２における前記連結ユニット２０と対応する位置決め孔１３を、前記パーツ６０の磁性部材に設置し、前記パーツ６０の位置決め効果を提供することにより、前記パーツ６０をヘルメットに設置する際の安定性を向上させることができる。
【００３０】
また、前記複数の挿設ボード３０における横方向の抑制凸部３１は、前記弓形ブレード１０を縦方向に抑制する。そして、前記複数の挿設ボード３０における縦方向の抑制凸部３２は前記弓形ブレード１０を横方向に抑制する。よって、前記弓形ブレードをヘルメットに設置する際の安定性を向上させることができる。なお、前記複数挿設ボード３０の形状は、底部から頂部まで減少していくことで前記弓形ブレード１０を容易にヘルメットの外縁４０とライナー５０に挿入できる。
【００３１】
なお、ヘルメットを着用する際に、前記弓形ブレードの内面１１におけるクッション１４を頭部に装着することにより、快適な着心地を提供すると共に、頭部の衝撃を緩和する。
【００３２】
また、本考案により、前記パーツ６０をヘルメットに設置できるので、ヘルメットのメーカーにおいて、予めヘルメットの外縁に係合孔を穿設する必要がなくなることから、加工作業を簡素化でき、ヘルメットの前記係合孔によって構造にダメージを与えることもないので、運転手の安全性を確保できる。
【００３３】
上述のように、本考案のヘルメットの接続部品は、連結ユニット２０によりパーツ６０と連結させるものであり、つまり、前記複数の挿設ボード３０をヘルメットの外縁４０とライナー５０との間に挿入することにより、ヘルメットのパーツ６０を設置する。この構成によれば、異なるパーツ６０も設置できることから、前記弓形ブレード１０の弾性を利用して、異なるヘルメットにも対応させることができる。
【００３４】
以上の説明は、本考案の好ましい実施形態に過ぎず、本考案に対して何ら限定するものではない。本考案について、比較的好ましい実施形態をもって上記のとおり開示したが、これは本考案を限定するものではなく、すべての当業者が、本考案の技術を逸脱しない範囲において、本考案の技術の本質に基づいて上記の実施形態に対して行ういかなる簡単な修正、変更及び修飾もすべて本考案の技術構想の範囲内にある。
【符号の説明】
【００３５】
１０弓型ブレード
１１内面
１２外面
１３位置決め孔
１４クッション
２０連結ユニット
３０挿設ボード
３１横方向の抑制凸部
３２縦方向の抑制凸部
４０ヘルメットの外縁
５０ライナー
６０パーツ
６１磁性部材
【図１】
0003222870.tif 000003
【図２】
0003222870.tif 000004
【図３】
0003222870.tif 000005
【図４】
0003222870.tif 000006
【図５】
0003222870.tif 000007
【図６】
0003222870.tif 000008